(57)【要約】  【課題】本発明は、カラオケ歌唱時の伴奏音楽の演奏音量を制御するカラオケシステムに関し、マニュアル操作を要さず、歌唱の妨げにもならずに歌唱力向上の支援を行うことを目的とする。  【解決手段】利用者別練習曲ＤＢに、利用者ＩＤに基づいて歌唱区間毎の歌唱採点値が付帯された練習対象の楽曲ＩＤを所定数登録しておき、演奏音量判定手段５１が当該楽曲ＩＤの歌唱区間毎の歌唱採点値と予め設定された閾値とを比較し、当該歌唱区間毎に閾値以上か、閾値未満かを判定して利用者別音量管理テーブル５８を作成し、演奏音量制御手段５２が練習対象の楽曲ＩＤの楽曲が演奏される際に、当該利用者別音量管理テーブル５８に基づいて、閾値以上の歌唱区間では演奏を無音とさせ、閾値未満の歌唱区間では演奏を所定音量とさせる構成とする。  【選択図】  図２
2010054859.tif 000002
【特許請求の範囲】
【請求項１】
利用者ＩＤ別に、歌唱区間毎の歌唱採点値が付帯された練習対象の楽曲ＩＤを所定数登録しておくデータベースを備え、当該登録されている楽曲が演奏される際に当該楽曲ＩＤの歌唱区間毎の歌唱採点値に基づき演奏音量を制御する機能を備えるカラオケシステムであって、
利用者別練習曲取得手段、演奏音量判定手段、演奏音量制御手段を有し、
前記利用者別練習曲取得手段は、利用者ＩＤに基づいて、前記データベースから登録されている練習対象の楽曲ＩＤとその歌唱区間毎の歌唱採点値とを取得し、
前記演奏音量判定手段は、利用者ＩＤ別に、前記取得した楽曲ＩＤの歌唱区間毎の歌唱採点値と予め設定された閾値とを比較し、当該歌唱区間毎に閾値以上か、閾値未満かを判定して利用者別音量管理テーブルを作成し、
前記演奏音量制御手段は、練習対象の楽曲ＩＤの楽曲が演奏される際に、前記作成された利用者別音量管理テーブルに基づいて、前記閾値以上の歌唱区間では演奏を無音とさせ、前記閾値未満の歌唱区間では演奏を所定音量とさせる、
ことを特徴とする演奏音量制御機能を備えるカラオケシステム。
【請求項２】
請求項１記載の演奏音量制御機能を備えるカラオケシステムであって、
さらに、前記歌唱採点値と閾値との比較の度合いに応じた演奏音量を所定段階毎に予め設定した音量レベル設定テーブルを備え、
前記演奏音量判定手段は、前記判定結果が閾値未満の場合に、前記音量レベル設定テーブルを参照して、当該比較の度合いに応じた音量状態を当該歌唱区間毎に付帯させて利用者別音量管理テーブルを作成し、
前記演奏音量制御手段は、前記閾値未満の歌唱区間での演奏を、前記利用者別音量管理テーブルに基づいた演奏音量とさせる、
ことを特徴とする演奏音量制御機能を備えるカラオケシステム。
【発明の詳細な説明】
【技術分野】
【０００１】
本発明は、カラオケ歌唱時の伴奏音楽の演奏音量を制御するカラオケシステムに関する。
【背景技術】
【０００２】
カラオケ利用者は歌唱力の向上を望むものであり、歌唱力向上には繰り返しの歌唱の他に音感育成も重要で、音感育成にはいわゆるアカペラ（無伴奏）が効果的であるが、利用者の練習したい楽曲を総てアカペラで歌唱することは困難なことである。また、歌唱曲の中でも得意とする区間や不得意とする区間があることもあり、特に不得意とする区間で伴奏を適度な演奏音量として最終的にアカペラで歌唱できるように練習することが歌唱力向上のために望ましい。
【０００３】
従来、カラオケ装置において歌唱力向上のための機能を備えたものが種々提案されている。例えば、歌唱の際に伴奏音楽の他にガイドメロディーをも出力するもので、歌唱者の音程を判定し、一致度が大きい場合に主旋律のガイドメロディーの音量を大きくし、一致度が小さくなるにつれて主旋律のガイドメロディーの音量を小さくさせることが提案されている（特許文献１）。
【０００４】
【特許文献１】特開平０９−１３４１８１号公報
【発明の開示】
【発明が解決しようとする課題】
【０００５】
しかしながら、上記特許文献で提案されているものは、伴奏音楽の他に歌唱を導く主旋律のガイドメロディーを歌唱音程状態に応じた音量で出力するというものであり、伴奏音楽は常に出力されていることから、音感育成という観点からは歌唱力向上の貢献度が低い。ところで、カラオケ装置には伴奏音楽の音量を調整する演奏ボリウムが設けられており、練習のために伴奏音楽の音量を手動操作で調整することが音感育成に効果的であるが、歌唱時にマニュアル操作でボリウム調整することは非常な手間を要し、特に歌唱者自ら行うことは歌唱そのものに支障を来すという問題がある。
【０００６】
そこで、本発明は上記課題に鑑みなされたもので、マニュアル操作を要さず、歌唱の妨げにもならずに歌唱力向上の支援を行うカラオケシステムを提供することを目的とする。
【課題を解決するための手段】
【０００７】
上記課題を解決するために、請求項１の発明では、利用者ＩＤ別に、歌唱区間毎の歌唱採点値が付帯された練習対象の楽曲ＩＤを所定数登録しておくデータベースを備え、当該登録されている楽曲が演奏される際に当該楽曲ＩＤの歌唱区間毎の歌唱採点値に基づき演奏音量を制御する機能を備えるカラオケシステムであって、利用者別練習曲取得手段、演奏音量判定手段、演奏音量制御手段を有し、前記利用者別練習曲取得手段は、利用者ＩＤに基づいて、前記データベースから登録されている練習対象の楽曲ＩＤとその歌唱区間毎の歌唱採点値とを取得し、前記演奏音量判定手段は、利用者ＩＤ別に、前記取得した楽曲ＩＤの歌唱区間毎の歌唱採点値と予め設定された閾値とを比較し、当該歌唱区間毎に閾値以上か、閾値未満かを判定して利用者別音量管理テーブルを作成し、前記演奏音量制御手段は、練習対象の楽曲ＩＤの楽曲が演奏される際に、前記作成された利用者別音量管理テーブルに基づいて、前記閾値以上の歌唱区間では演奏を無音とさせ、前記閾値未満の歌唱区間では演奏を所定音量とさせる、構成とする。
【０００８】
請求項２の発明では、さらに、前記歌唱採点値と閾値との比較の度合いに応じた演奏音量を所定段階毎に予め設定した音量レベル設定テーブルを備え、前記演奏音量判定手段は、前記判定結果が閾値未満の場合に、前記音量レベル設定テーブルを参照して、当該比較の度合いに応じた音量状態を当該歌唱区間毎に付帯させて利用者別音量管理テーブルを作成し、前記演奏音量制御手段は、前記閾値未満の歌唱区間での演奏を、前記利用者別音量管理テーブルに基づいた演奏音量とさせる、構成である。
【発明の効果】
【０００９】
請求項１の本発明によれば、データベースに、利用者ＩＤ別に歌唱区間毎の歌唱採点値が付帯された練習対象の楽曲ＩＤを所定数登録しておき、当該楽曲ＩＤの歌唱区間毎の歌唱採点値と予め設定された閾値とを比較し、当該歌唱区間毎に閾値以上か、閾値未満かを判定した利用者別音量管理テーブルを作成し、練習対象の楽曲ＩＤの楽曲が演奏される際に、当該利用者別音量管理テーブルに基づいて、閾値以上の歌唱区間では演奏を無音とさせ、閾値未満の歌唱区間では演奏を所定音量とさせる構成とすることにより、歌唱者の得意な閾値以上の歌唱区間では演奏を無音とさせ、不得意な閾値未満の歌唱区間では演奏を所定音量とさせることが自動で制御されることから、マニュアル操作を要さず、歌唱の妨げにもならずに演奏音量を制御することができ、楽曲全体を最終的にアカペラでの歌唱に導く歌唱力向上の支援を行うことができるものである。
【００１０】
請求項２の発明によれば、歌唱採点値と閾値との比較の度合いに応じた演奏音量を所定段階毎に予め設定した音量レベル設定テーブルを参照して、歌唱採点値と閾値との比較で閾値未満の場合に、当該比較の度合いに応じた音量レベルにおける音量状態を当該歌唱区間毎に付帯させた利用者別音量管理テーブルを作成し、閾値未満の歌唱区間での演奏を利用者別音量管理テーブルに基づいた演奏音量とさせる構成とすることにより、演奏が出力される際には歌唱採点値と閾値との比較の度合いの音量とさせることから、演奏音量を歌唱力向上の段階毎に無音に近づけて楽曲全体を最終的にアカペラでの歌唱に導くことができ、さらなる歌唱力向上の支援を行うことができるものである。
【発明を実施するための最良の形態】
【００１１】
以下、本発明の最良の実施形態を図により説明する。
図１に、本発明に係るカラオケシステムの系統構成図を示す。図１（Ａ）は通信ネットワークを使用して本システムを構成させた場合のネットワーク模式図、図１（Ｂ）はホスト装置の概要ブロック構成図、図１（Ｃ）は利用者別練習曲データベース（ＤＢ）の登録内容の説明図である。
【００１２】
図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１３】
ホスト装置１１は、図１（Ｂ）に示すように、少なくとも送受信手段２１、制御手段２２、練習曲登録更新手段２３及び利用者別練習曲ＤＢ２４を備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。
【００１４】
上記制御手段２２は、当該ホスト装置１１を統括的に制御するもので、例えば物理的なＣＰＵであり、図示しないＲＯＭに格納されているプログラムのアルゴリズム処理を行う。上記練習曲登録更新手段２３は、所定のカラオケ演奏端末１３より利用者ＩＤに基づいて歌唱区間毎の歌唱採点値の付帯された練習対象の楽曲ＩＤが送信されてきたときに、利用者別練習曲ＤＢ２４に、新規の場合には新規登録し、既に登録されている場合には、例えば最新値として更新するプログラムである。なお、更新の対象として、最新値の他に、過去の歌唱採点値との平均値、又は、過去（直前）との比較による最高値としてもよい。
【００１５】
すなわち、上記利用者別練習曲ＤＢ２４は、図１（Ｃ）に示すように、利用者別に、利用者ＩＤに基づいて練習対象の所定数の楽曲の楽曲ＩＤ毎に、当該楽曲の歌唱区間毎の歌唱採点値が付帯されて登録されるものであり、最初には利用者の指示により登録され、以降当該練習楽曲の歌唱毎に歌唱区間の歌唱採点値が上記のように適宜更新されるものである。
【００１６】
続いて、図２に、本発明のカラオケシステムにおけるカラオケ演奏端末の第１実施形態に係るブロック構成図を示す。図２において、カラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続される。
【００１７】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データとマイク３４からの音声信号をミキシングし、増幅してスピーカ３５より出力する。なお、当該ミキシングアンプ３３には、マイクボリウムと演奏ボリウムの操作ボタンなどが設けられている。
【００１８】
遠隔入出力端末３６は、図示しない端末送受信部により、カラオケ演奏装置３１に対して有線方式ないし無線方式（ＩＲ方式やブルートゥース（登録商標）機構のピコネット接続方式など）を利用してデータ授受を行うためのもので、楽曲検索手段３７及び端末表示部３８を適宜備える。
【００１９】
上記楽曲検索手段３７は、後述するユーザインタフェース機能により利用者に楽曲を検索させ、選曲させるプログラムである。この場合、例えば選曲時に、練習曲とするか否かを選択させ、練習曲とする選択があり、これが上記利用者別練習曲ＤＢ２４に登録されている楽曲の場合には後述のように演奏音量が制御されると共に、歌唱採点値の更新対象とされ、また、登録されていない場合にはホスト装置１１に対して新たに歌唱区間毎の歌唱採点値と共に当該楽曲ＩＤの登録が中央制御部（４２）の制御により要求される。
【００２０】
上記端末表示部３８は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。なお、この遠隔入出力端末３６には、図示しない利用者を特定する手段が搭載され、ログイン要求の利用者より利用者ＩＤを取得して当該利用者を特定する。当該利用者の特定は、例えば、利用者の所持するＩＣカードからの利用者ＩＤの取得、ユーザＩＤやパスワードの入力、声紋、指紋などの生体認証等による。この利用者を特定する手段をカラオケ演奏装置３１に備えさせてもよい。
【００２１】
上記カラオケ演奏装置３１は、バス４１、中央制御部４２、ＲＯＭ４３、ＲＡＭ４４、記憶部４５、映像再生制御部４６、音楽演奏制御部４７、Ａ／Ｄ変換部４８、歌唱採点手段４９、利用者別練習曲取得手段５０、演奏音量判定手段５１、演奏音量制御手段５２及び送受信部５３，５４を適宜備える。また、上記記憶部４５には、楽曲ＤＢ５５及び映像ＤＢ５６が記憶され、ＲＡＭ４４には、利用者別練習曲データ５７、利用者別音量管理テーブル５８及び利用者別練習曲歌唱ログ５９の記憶領域が形成される。なお、上記各構成について、本発明の要旨と直接関連しない要素部分であっても、従前のカラオケ装置においても大部分が適用可能であることを示すために、装置全体を説明する。
【００２２】
上記中央制御部４２は、このシステムを統括的に処理制御する物理的なＣＰＵであり、ＲＯＭ４３に記憶されているプログラムに基づくアルゴリズム処理を行う。上記ＲＡＭ４４は、利用者別練習曲データ５７、利用者別音量管理テーブル５８及び利用者別練習曲歌唱ログ５９の記憶領域が形成される他に、上記種々のプログラムを展開、実行させるための作業領域としての役割をなすもので、例えば半導体メモリで構成され、仮想的にハードディスク上に構築される場合をも含む概念である。
【００２３】
上記記憶部４５に記憶されている楽曲ＤＢ５５は、楽曲毎に、音符データ及び歌詞データを格納するもので、本発明では楽曲毎に歌唱区間及び閾値が設定されている。なお、閾値を後述の演奏音量判定手段５０に設定しておいてもよい。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）及び歌詞データ（歌詞テロップデータ）が同期されて構成される楽曲データ（ファイル）について楽曲コードをファイル名としてそれぞれ格納したデータベースであり、映像ＤＢ５６に格納された当該楽曲毎の背景映像を表示するための所定数のシーン映像を割り当てる割当データが関連付けられる。
【００２４】
上記記憶部４５に記憶されている当該映像ＤＢ５６は、背景映像表示のための所定数のシーン映像データを所定数格納するデータベースである。なお、この楽曲ＤＢ５５及び映像ＤＢ５６を、カラオケ演奏装置３１ではなく、上記ホスト装置１１に備えさせることとしてもよい。
【００２５】
上記映像再生制御部４６は、演奏時に、映像ＤＢ５６より抽出された所定数のシーン映像データ及び楽曲コードで楽曲ＤＢ５５より抽出された歌詞テロップデータ（歌詞文字データ）を当該楽曲の音符データに同期させて表示部３２に出力する電子回路である。上記音楽演奏制御部４７は、楽曲コードで楽曲ＤＢ５５より抽出された音符データをデジタル再生し、アナログ変換してミキシングアンプ３３に出力する電子回路である。この音楽演奏制御部４７には、上記デジタル再生したデータを、デジタルボリウムを介してアナログデータに変換するコンバータが設けられ、当該デジタルボリウムに対して後述の演奏音量制御手段５２が音量制御を行う。
【００２６】
上記Ａ／Ｄ変換部４８は、マイク３４から入力される歌唱時の歌唱音声をデジタル変換する電子回路である。上記歌唱採点手段４９は、Ａ／Ｄ変換部４８でデジタルデータに変換された歌唱音声に基づき、当該楽曲における所定の歌唱区間毎に歌唱採点を算出するプログラムである。ここで、歌唱区間とは、１フレーズ単位、数フレーズ単位若しくは歌詞１文字を含む所定歌詞文字数毎をいい、任意に設定することができる。例えば採点テーブルを備え、選択された楽曲元データに基づいて音楽演奏制御部４７でデジタル再生された楽曲の主旋律のピッチ基準条件と、マイク３４より入力されてくる歌唱データをＡ／Ｄ変換部４８でデジタル変換したデジタル歌唱データから抽出した歌唱ピッチとを上記採点テーブルを参照して比較し、これを例えば１小節ごとの区間毎の比較した結果の得点として例えば平均することにより採点結果とするものである。
【００２７】
上記利用者別練習曲取得手段５０は、ログインした利用者の利用者ＩＤに基づいてホスト装置１１に対して図１（Ｃ）に示すような練習曲データを要求し、これを取得してＲＡＭ４４に利用者別練習曲データ５７として記憶するプログラムである。上記演奏音量判定手段５１は、利用者ＩＤ毎に、ＲＡＭ４４に記憶された利用者別練習曲データ５７における楽曲ＩＤの歌唱区間毎の歌唱採点値と予め設定された閾値とを比較し、当該歌唱区間毎に閾値以上か、閾値未満かを判定して音量管理テーブルを作成し、ＲＡＭ４４に利用者別音量管理テーブル５８として記憶するプログラムである（図３及び図４で説明する）。ここでは、上記閾値が例えば８０（点）として設定されているものとして説明する。
【００２８】
上記演奏音量制御手段５２は、練習対象の楽曲ＩＤの楽曲が演奏される際に、ＲＡＭ４４の利用者別音量管理テーブル５８に基づいて、予め設定した閾値以上の歌唱区間では演奏を無音とさせ、閾値未満の歌唱区間では演奏を所定音量とさせるために上記音楽演奏制御部４７のデジタルボリウムを制御するプログラムである（後述する）。
【００２９】
上記送受信部５３は、遠隔入出力端末３６との間で有線方式ないし無線方式（ＩＲ方式やブルートゥース（登録商標）機構のピコネット接続方式など）を利用してデータ授受を行うためのもので、そのための電子回路及びプログラムである。上記送受信部５４は、上記ホスト装置１１と上記通信ネットワーク１２を介してデータ授受を行うためのもので、通信方式と整合性をとるための例えば物理的な通信用回路やプラットフォーム等のソフトウエアにより構成されるものである。
【００３０】
上記ＲＡＭ４４に記憶される利用者別練習曲歌唱ログ５９は、例えば中央制御部４２により、利用者が楽曲選曲時に選択した練習曲が歌唱されたときに、当該練習曲の楽曲ＩＤに歌唱区間毎に上記歌唱採点手段４９の採点した区間採点値が付帯されて記憶されたもので、所定タイミング（例えば、当該利用者のログアウト時や歌唱後など）でホスト装置１１に送信されて利用者別練習曲ＤＢ２４に登録され、又は更新されるものである。
【００３１】
なお、カラオケ演奏端末１３をスタンドアローンのカラオケシステムとして適用させる場合には上記ホスト装置１１の練習曲登録更新手段２３及び利用者別練習曲ＤＢ２４を備えさせる構成とすることにより実現することができる。
【００３２】
そこで、図３に図２の演奏音量判定手段による利用者別音量管理テーブル作成の処理フローチャートを示すと共に、図４に図３における利用者別音量管理テーブルの説明図を示し、図５に図２の演奏音量制御手段による音量制御の説明図を示す。
【００３３】
図３において、所定の利用者が例えばＩＣカードなどによりシステムにログインしたときに当該利用者の利用者ＩＤを取得すると、利用者別練習曲取得手段５０が、ログインした利用者の利用者ＩＤに基づいてホスト装置１１に対して利用者別練習曲ＤＢ２４の当該利用者ＩＤで登録されている練習曲データ（楽曲ＩＤ及びその歌唱区間毎の区間採点値）を取得して、ＲＡＭ４４に利用者別練習曲データ５７として記憶する（ステップ（Ｓ）１）。
【００３４】
そこで、演奏音量判定手段５１が、利用者別に、取得した練習曲データでＲＡＭ４４に記憶された利用者別練習曲データ５７に記憶された各練習曲について、歌唱区間毎に、区間採点値が閾値以上か否かを演算（［閾値−区間採点値］）して判定し、図４に示すように、閾値以上の場合（差値がマイナス）に当該歌唱区間に対する演奏音量を無音化するフラグを付帯させ、また、閾値未満の場合（差値がプラス）に当該歌唱区間に対する演奏を所定音量（図５で説明する）で出力させる形態の音量管理テーブルを作成し、ＲＡＭ４４に利用者別音量管理テーブル５８として記憶するものである（Ｓ２）。
【００３５】
そして、練習曲が演奏されるときに、演奏音量制御手段５２がＲＡＭ４４の利用者別音量管理テーブル５８を参照して音楽演奏制御部４７に対し、図５に示すように、無音化フラグが付帯されていない歌唱区間「０１」、「０７」、「１０」、「１１」ではデジタルボリウムを所定音量（予め設定されているデフォルトの音量）とさせることでミキシングアンプ３３に演奏データを出力させ、また、無音化フラグが付帯されている歌唱区間「０２」〜「０６」、「０８」、「０９」ではデジタルボリウムで減衰率１００パーセントとしてミュート（無音）状態とさせるものである。
【００３６】
このように、第１実施形態では、歌唱者の得意な閾値以上の歌唱区間では演奏を無音とさせ、不得意な閾値未満の歌唱区間では演奏を所定音量とさせることが自動で制御されることから、マニュアル操作を要さず、歌唱の妨げにもならずに演奏音量を制御することができ、楽曲全体を最終的にアカペラでの歌唱に導く歌唱力向上の支援を行うことができるものである。
【００３７】
なお、上記実施形態では、楽曲の総ての歌唱区間に対する閾値を一定とさせた場合を示したが、所定数の歌唱区間毎に閾値を変化させることとしてもよい。特に、歌唱の難しい区間が存在する楽曲に対して有効であり、このような楽曲を予め定めておくこととしてもよいものである。このことは、以下の実施形態においても同様である。
【００３８】
次に、図６に本発明のカラオケシステムにおけるカラオケ演奏端末の第２実施形態に係る一部ブロック構成図を示すと共に、図７に図６の音量レベル設定テーブルの説明図を示す。図６において、カラオケ演奏装置３１の記憶部４５には、音量レベル設定テーブル６１が記憶される。この場合、上記演奏音量判定手段５１は、歌唱区間毎の歌唱採点値と閾値との比較結果として歌唱採点値が閾値未満の場合に、当該音量レベル設定テーブル６１を参照して、当該比較の度合いに応じた音量状態を当該歌唱区間毎に付帯させて音量管理テーブルを作成し、ＲＡＭ４４に利用者別音量管理テーブル５８Ａとして記憶する。また、上記演奏音量制御手段５２は、ＲＡＭ４４の利用者別音量管理テーブル５８Ａに基づいた演奏音量とさせるべく音楽演奏制御部４７のデジタルボリウムを制御するものである。
【００３９】
上記音量レベル設定テーブル６１は、図７に示すように、歌唱採点値と閾値との比較（［閾値−区間採点値］）の度合いに応じ、当該度合いを所定段階毎の範囲として演奏音量の音量レベルにおける音量減衰率が設定されたものである。ここでは、演算値範囲の度合いを、「負値〜０」から「０」を越えた５段階（全部で６段階）とし、各段階での音量レベルに対応させた音量減衰率を定めたものとしている。
【００４０】
そこで、図８に図６の演奏音量判定手段による利用者別音量管理テーブル作成の処理フローチャートを示すと共に、図９に図８における利用者別音量管理テーブルの説明図を示し、図１０に図６の演奏音量制御手段による音量制御の説明図を示す。
【００４１】
図８において、所定の利用者が例えばＩＣカードなどによりシステムにログインしたときに当該利用者の利用者ＩＤを取得すると、利用者別練習曲取得手段５０が、ログインした利用者の利用者ＩＤに基づいてホスト装置１１に対して利用者別練習曲ＤＢ２４の当該利用者ＩＤで登録されている練習曲データ（楽曲ＩＤ及びその歌唱区間毎の区間採点値）を取得して、ＲＡＭ４４に利用者別練習曲データ５７として記憶することは図３のＳ１と同様である（Ｓ１１）。
【００４２】
そこで、演奏音量判定手段５１が、利用者別に、取得した練習曲データがＲＡＭ４４に記憶されている利用者別練習曲データ５７の各練習曲について、歌唱区間毎に、区間採点値の閾値との差を演算（［閾値−区間採点値］）して閾値以上か否かを判定し、図９に示すように、音量レベル設定テーブル６１を参照して、その差に応じた無音から最大音量（デフォルト音量値）までの所定段階毎の音量レベルにおける音量減衰率の音量状態を付帯させた音量管理テーブルを作成し、ＲＡＭ４４に利用者別音量管理テーブル５８Ａとして記憶するものである（Ｓ１２）。
【００４３】
そして、練習曲が演奏されるときに、演奏音量制御手段５２がＲＡＭ４４の利用者別音量管理テーブル５８Ａの音量状態（音量減衰率）に基づいて、音楽演奏制御部４７に対し、図１０に示すように、例えば、音量レベル「１」〜「４」の歌唱区間「０１」、「０７」、「１０」、「１１」ではデジタルボリウムを予め設定されている音量（デフォルト音量値）に対する音量減衰率（７０パーセント、９０パーセント、３０パーセント、５０パーセント）でミキシングアンプ３３に演奏データを出力させ、また、音量レベル「０」（演算値範囲が「負値〜０」）の歌唱区間「０２」〜「０６」、「０８」、「０９」ではデジタルボリウムで音量減衰率１００パーセントとしてミュート状態とさせるものである。
【００４４】
このように、演奏が出力される際には歌唱採点値と閾値との比較の度合いの音量とさせることから、演奏音量を歌唱力向上の段階毎に無音に近づけて楽曲全体を最終的にアカペラでの歌唱に導くことができ、さらなる歌唱力向上の支援を行うことができるものである。
【産業上の利用可能性】
【００４５】
本発明の演奏音量制御機能を備えるカラオケシステムは、カラオケの基本的機能を備えるカラオケ装置の分野に利用可能である。
【図面の簡単な説明】
【００４６】
【図１】本発明に係るカラオケシステムの系統構成図である。
【図２】本発明のカラオケシステムにおけるカラオケ演奏端末の第１実施形態に係るブロック構成図である。
【図３】図２の演奏音量判定手段による利用者別音量管理テーブル作成の処理フローチャートである。
【図４】図３における利用者別音量管理テーブルの説明図である。
【図５】図２の演奏音量制御手段による音量制御の説明図である。
【図６】本発明のカラオケシステムにおけるカラオケ演奏端末の第２実施形態に係る一部ブロック構成図である。
【図７】図６の音量レベル設定テーブルの説明図である。
【図８】図６の演奏音量判定手段による利用者別音量管理テーブル作成の処理フローチャートである。
【図９】図８における利用者別音量管理テーブルの説明図である。
【図１０】図６の演奏音量制御手段による音量制御の説明図である。
【符号の説明】
【００４７】
１１            ホスト装置
１３            カラオケ演奏端末
２４            利用者別練習曲ＤＢ
３１            カラオケ演奏装置
４９            歌唱採点手段
５０            利用者別練習曲取得手段
５１            演奏音量判定手段
５２            演奏音量制御手段
５７            利用者別練習曲データ
５８，５８Ａ    利用者別音量管理テーブル
６１            音量レベル設定テーブル
【図１】
2010054859.tif 000003
【図２】
2010054859.tif 000004
【図３】
2010054859.tif 000005
【図４】
2010054859.tif 000006
【図５】
2010054859.tif 000007
【図６】
2010054859.tif 000008
【図７】
2010054859.tif 000009
【図８】
2010054859.tif 000010
【図９】
2010054859.tif 000011
【図１０】
2010054859.tif 000012